(57)【要約】【課題】  ＩＥＥＥ１３９４シリアルバスを介して行われる画像データの転送状況をユーザにわかりやすく通知できるようにする。【解決手段】  ＩＥＥＥ１３９４シリアルバスに接続可能な撮像装置（デジタルスチルカメラ、デジタルビデオカメラなど）において、ＩＥＥＥ１３９４シリアルバスを介して画像データを転送する際、その転送状況を視覚的にユーザに通知する。【選択図】  図１
2005175794.tif 000002
【特許請求の範囲】
【請求項１】
撮影手段と、撮影した静止画像データ及び属性データを記録するための記録手段と、被写体を表示する為の表示手段である表示画面を具備し、上記撮影画像を再生表示するための手段と、被写体を撮影する場合と撮影した画像を再確認するためのモード（以降、再生モード）を２つ有し、この２つの各モードを切り替える手段と、ＩＥＥＥ１３９４シリアルバス経由で画像を送信することのできるモードを有し、記録されている画像をサムネイル形式で複数毎を表示画面に表示させる手段と、ユーザが複数もしくは単一の静止画像を選択する手段と、選択された画像に選択済みマークを付与する手段と、上記記録画像データを非同期式転送（Ａｓｙｎｃｈｒｏｎｏｕｓ）を利用して、データ転送を確実に行うために２つのノード間に論理的なコネクションである“Ａｓｙｎｃｈｒｏｎｏｕｓ  Ｃｏｎｎｅｃｔｉｏｎｓ”を確立し、どのような事象が生じても確実に所望の画像データをＩＥＥＥ１３９４シリアルバスを介して接続先デバイスに送信、受信する手段、を具備することを特徴とする撮像装置。
【請求項２】
画像データ送信中に受信側の画像データの記録容量が不足した場合にはその旨を送信側及び受信側の表示画面に表示しユーザに通知することを特徴とする請求項１に記載の撮像装置。
【請求項３】
画像データ送信中に受信側において送信を中断する手段と、受信側において送信が中断されたことを送信側の表示画面に表示しユーザに通知することを特徴とする請求項１に記載の撮像装置。
【請求項４】
画像データ送信中に送信側において送信を中断する手段と、送信側において送信が中断されたことを受信側の表示画面に表示しユーザに通知することを特徴とする請求項１に記載の撮像装置。
【請求項５】
撮影手段と、撮影した静止画像データ及び属性データを記録するための記録手段と、被写体を表示する為の表示手段である表示画面を具備し、上記撮影画像を再生表示するための手段と、被写体を撮影する場合と撮影した画像を再確認するためのモード（以降、再生モード）を２つ有し、この２つの各モードを切り替える手段と、ＩＥＥＥ１３９４シリアルバス経由で画像を送信することのできるモードを有し、上記記録画像データを非同期式転送（Ａｓｙｎｃｈｒｏｎｏｕｓ）を利用して、データ転送を確実に行うために２つのノード間に論理的なコネクションである“Ａｓｙｎｃｈｒｏｎｏｕｓ  Ｃｏｎｎｅｃｔｉｏｎｓ”を確立し、どのような事象が生じても確実に所望の画像データをＩＥＥＥ１３９４シリアルバスを介して接続先デバイスに送信、受信する手段を有し、記録されている画像を再生モードで１枚だけ表示している際に、ＩＥＥＥ１３９４シリアルバスを介して“静止画像送信コマンド”を受信した場合には、表示されている画像をＩＥＥＥ１３９４シリアルバスを介して送信する手段を有する事を特徴とする撮像装置。
【請求項６】
記録されている画像を再生モードで１枚だけ表示している際に、ＩＥＥＥ１３９４シリアルバスを介して“静止画像送信コマンド”を受信した場合に、静止画像を送信する許可を与えるかいなかを設定する手段を有し、送信許可がされていない状態で、ＩＥＥＥ１３９４シリアルバスを介して“静止画像送信コマンド”を受信した場合には、送信許可が無い旨を通知するコマンドをＩＥＥＥ１３９４シリアルバスを介して接続先ノードに送信する手段を有する事を特徴とする請求項５に記載の撮像装置。
【発明の詳細な説明】
【技術分野】
【０００１】
本発明は、デジタルビデオカメラ、デジタルスチルカメラなどの撮像装置に関するものである。
【背景技術】
【０００２】
デジタルビデオカメラ、デジタルスチルカメラなどの撮像装置と他の撮像装置との間を接続する伝送媒体の一つには、ＩＥＥＥ１３９４規格（非特許文献１参照）に準拠したシリアルバス（以下、ＩＥＥＥ１３９４シリアルバス）がある。
【非特許文献１】IEEE std 1394-1995,IEEE Standard for a High Performance Serial Bus,Institute of Electrical and Electronics Engineers,Inc.
【発明の開示】
【発明が解決しようとする課題】
【０００３】
複数の撮像装置をＩＥＥＥ１３９４シリアルバスを介して接続し、一方の撮像装置の画像データを他方の撮像装置に転送する場合、画像データの転送状況をユーザにわかりやすく通知できるようにするのが好ましい。
【０００４】
そこで、本発明は、ＩＥＥＥ１３９４シリアルバスを介して行われる画像データの転送状況をユーザにわかりやすく通知できるようにすることを目的とする。
【課題を解決するための手段】
【０００５】
本発明のデジタルスチルカメラが具備する通信システムは、シリアルデータを送受信するための通信システムであって、同期転送と非同期転送とが可能なシリアルバス上に、任意の制御データ及び前記撮影画像データを送信／受信する手段とを具備することを特徴とする。本発明においては、静止画の転送を確実に行うために“Ａｓｙｎｃｈｒｏｎｏｕｓ  Ｃｏｎｎｅｃｔｉｏｎｓ”を利用して行い、さらには、転送する静止画の選択方法手段を具備する。
【発明の効果】
【０００６】
本発明によれば、異なる記録媒体を持ちかつＩＥＥＥ１３９４シリアルバス接続が可能なデジタルスチルカメラ及びデジタルビデオカメラ間でのファイルのやり取りがＰＣなどの間接媒体を使用すること無く可能となり、作業効率が改善される。
【発明を実施するための最良の形態】
【０００７】
（実施例１）
図１は、本実施例のデジタルスチルカメラＡ（図１−１）とデジタルスチルカメラＢ（図１−２）間で静止画転送をおこなう際のＩＥＥＥ１３９４シリアルバスによる接続構成を示している。図２は本実施例におけるデジタルスチルカメラＡ，Ｂ（図１−１，２）の電気的構成を示すブロック図である。
【０００８】
図２−１はＩＥＥＥ１３９４シリアルバスとの接続が可能な通信部であり、上位レイヤすなわち通信プロトコルを実現するファームウェアからのリクエストをＩＥＥＥ１３９４規格のパケット形式に変換しさらにデジタルデータとして、ＩＥＥＥ１３９４シリアルバス上に信号を送出、また受信した場合はその逆を行う。この通信部によって請求項１−７記載の１３９４を介してバス上に接続された他の機器との通信手段を実現する。図２−２の通信補助部は図２−１の通信部から送出されるパケットのデータを形成し、また定められたフローで送出する。この通信補助部によって、請求項１記載のデータ伝送を確実に行うためのプロトコルである“Ａｓｙｎｃｈｒｏｎｏｕｓ  Ｃｏｎｎｅｃｔｉｏｎｓ”が実現される。図２−３の画像処理部は図２−９の撮像部によって撮影されたアナログ信号をデジタルの画像データとして変換し最適な画像に処理を行うと同時に、図２−４の着脱可能記録部に記録するために圧縮を行う。これにより請求項１記載の撮影した画像を記録しておくための画像処理及び圧縮手段が提供される。図２−４は撮影した画像を記録しておくための着脱可能記録部であり、これにより請求項１記載の記録手段が提供される。図２−５の撮影した画像を再生表示、また撮影する被写体を確認のために表示するため表示部であり、これにより請求項１記載の表示手段が実現される。図２−６は本実施例のデジタルスチルカメラの全機能を制御するための制御部である。図２−７はユーザが実際に本実施例のデジタルスチルカメラを操作するための操作部である。この操作部により請求項１記載の再生モードと撮影モードの切り替え手段、請求項２記載のユーザによる画像選択手段が実現される。図２−８は各部が使用するメモリである。図２−９は被写体光源を受光し電気的信号に変換させる撮像部であり、これにより被写体の撮像手段が提供される。
【０００９】
また図６は本実施例におけるデジタルスチルカメラの実装形態の正面、背面、上面、側面を示している。図６−１は撮影を行うためのトリガボタン、図６−２，３はデジタルスチルカメラの撮影パラメータの設定を行うためのボタン、図６−４は撮影条件等を表示する為の液晶表示、図６−５及び８は光学ファインダ、図６−６は撮影レンズ部、図６−７は撮影倍率の変更ボタン、図６−９は撮影時の電子ファインダでありまた撮影パラメータを設定するためのＧＵＩ表示部、図６−１０は電源スイッチ、図６−１１は撮影モードと再生モードを変更するためのダイアル、図６−１１は着脱可能記録媒体の挿入部である。
【００１０】
図３はデジタルスチルカメラＡ（図１−１）が送信側として静止画転送を行う際の動作フロー。
【００１１】
図４はデジタルスチルカメラＢ（図１−２）が受信側として静止画転送を行う際の動作フローである。
【００１２】
送信側のフローでは図３−１のステップにおいて、送信（コピー）するための画像を選択するために送信側デジタルスチルカメラＡの表示部にサムネイル画像を表示する。サムネイル画面（図５−２）は、図６−１１のダイアルを再生モードに合わせて図８の機能選択画面を表示させる。
【００１３】
この表示において図６−７のボタンによって図８−１の指示マーカを移動させ“サムネイル表示”の項目を選択すると図６−９の表示画面に図５のサムネイル画面が表示される。
【００１４】
送信側フローの図３−２のステップでは、サムネイル表示画面においてユーザが送信する画像を選択する。
【００１５】
図５−２はサムネイル画像、図５−３は選択枠であり、ユーザは図６−７のボタンで図５−３の選択枠を移動させる。
【００１６】
送信したい画像に選択枠を合わせて図６−２のボタンを押すと画像選択が確定され、図７−１の様に選択マークが付与される。送信する画像は複数も１枚でも良い。デジタルスチルカメラＡは着脱可能記録部（図２−４）に記録してある画像データを図９のようなテーブルとしてメモリに記録しており、選択された画像は図９−１に選択済みという情報が付与される。画像データの選択が終了したら、図６−３のボタンを押すと再び図８の画面に遷移する。
【００１７】
送信側フローの図３−３のステップでは、図８の選択画面で“画像送信モード”を選択することによって画像送信可能なモードとなる。ここで例えば“ＤＰＯＦ作成モード”を選択すると図３−４のステップでＤＰＯＦ作成を行う処理に移行する。
【００１８】
一方受信側デジタルスチルカメラＢのフローでは、図４−１のステップにおいて画像をコピーするために図６−１１のダイアルを再生モードにしておく。そしてＩＥＥＥ１３９４シリアルバスから転送される画像をデジタルスチルカメラＢの着脱可能記録部（図２−４）に記録するために、画像コピーモードにしておく（図４−２）。具体的には図８のメニュー画面において、画像受信モードを図６−７のボタンによって選択し図６−２のボタンでモードを確定させる。ここで別のモードを選択すると、図４−３のステップにおいて別の処理を行う。
【００１９】
送信側フローの図３−３のステップにおいて画像送信するモードであると、図１０の画面が表示される。ここで図１０−１の送信ボタンを確定すると、受信側が画像受信モードになっていた場合には、画像転送のための“Ａｓｙｎｃｈｒｏｎｏｕｓ  Ｃｏｎｎｅｃｔｉｏｎｓ”を確立する。但し受信側デジタルスチルカメラが画像受信モードになっていない場合には、図１１の待機画面が表示される。ここで図１０−２もしくは図１１−１のキャンセルボタンが選択されると図８のメニュー画面に戻る（ステップ図３−６）。
【００２０】
受信側フローの図４−４のステップにおいて画像受信モードが選択されると図１１の画面が表示される。ここでキャンセルが選択されると図８メニュー画面に戻る。また着脱可能記録部が存在しない場合には、画像受信モードは選択不可能となるが図２−８のメモリの容量が十分大きい場合には、前述と同様に図１１の画面が表示される。
【００２１】
送信側、受信側がともに画像送受信のモードになると画像転送のための“Ａｓｙｎｃｈｒｏｎｏｕｓ  Ｃｏｎｎｅｃｔｉｏｎｓ”を確立し画像伝送を開始する。
【００２２】
ここで、データ転送のプロトコルである“Ａｓｙｎｃｈｒｏｎｏｕｓ  Ｃｏｎｎｅｃｔｉｏｎｓ”について図１２のフロー図を用いて簡単に説明する。“Ａｓｙｎｃｈｒｏｎｏｕｓ  Ｃｏｎｎｅｃｔｉｏｎｓ”では送信側がＰｒｏｄｕｃｅｒ（図１２−１）、受信側がＣｏｎｓｕｍｅｒ（図１２−３）として区別される。また“Ａｓｙｎｃｈｒｏｎｏｕｓ  Ｃｏｎｎｅｃｔｉｏｎｓ”を確立するためのコマンドを送信するノードがＣｏｎｔｒｏｌｌｅｒ（図１２−２）として定義される。このＣｏｎｔｒｏｌｌｅｒは論理的なものであり、送信側であっても受信側であってもまた複数のノードがＩＥＥＥ１３９４シリアルバス上で接続されたネットワークにおいては別のノードであっても良い。Ｃｏｎｔｒｏｌｌｅｒは受信側Ｃｏｎｓｕｍｅｒに対してコネクションの仮想的なプラグとポートを確保するためのＡｌｌｏｃａｔｅコマンド（図１２−４）を送信する。Ｃｏｎｓｕｍｅｒ側のプラグとポートが利用可能であった場合にはＣｏｎｔｒｏｌｌｅｒに対してａｃｃｅｐｔを送信する。Ｃｏｎｔｒｏｌｌｅｒは次にＰｒｏｄｕｃｅｒ側の仮想的なプラグとポートを確保するためのＡｌｌｏｃａｔｅ＿Ａｔｔａｃｈコマンドを送信する（図１２−５）。このコマンドには既に確保してある、Ｃｏｎｓｕｍｅｒの仮想的なプラグとポートを示すＩＤが記述されている。Ｐｒｏｄｕｃｅｒ側のプラグとポートが利用可能であった場合にはＣｏｎｔｒｏｌｌｅｒに対してａｃｃｅｐｔを送信する。またこの時にＰｒｏｄｕｃｅｒは自分の仮想的なプラグとポートをＣｏｎｓｕｍｅｒの仮想的なプラグとポートを仮想的に接続する。Ｃｏｎｔｒｏｌｌｅｒは最後にＣｏｎｓｕｍｅｒに対してＰｒｏｄｕｃｅｒ側の仮想的なプラグとポートを通知するためのＡｔｔａｃｈコマンドを送信する（図１２−６）。このコマンドによりＣｏｎｓｕｍｅｒ側はＰｒｏｄｕｃｅｒの仮想的なプラグとポートを認識し、自分のそれと接続する。以上の手順により“Ａｓｙｎｃｈｒｏｎｏｕｓ  Ｃｏｎｎｅｃｔｉｏｎｓ”が確立されデータ伝送が開始される。
【００２３】
“Ａｓｙｎｃｈｒｏｎｏｕｓ  Ｃｏｎｎｅｃｔｉｏｎｓ”が確立したら送信側フローでは図３−７のステップにおいて画像を送信する。画像データは１枚づつ、複数のパケットに分割され送信されるが、１枚の画像データを送信し終わる毎に、その事を示すＬＡＳＴコマンドを送信する。
【００２４】
それに対して受信側では、次の画像データの送信を要求するＭｏｒｅコマンドを送信する。受信側フローでは図４−６のステップにおいて送信されてくるデータを受信すると一時的にメモリ（図２−８）に記録し、メモリの容量限界まで貯えて、その後着脱可能記録部（図２−４）に記録する。この際に受信した個々の画像データはファイルとして着脱可能記録部に記録されるがその場合の、ファイルの命名規則は、そのデジタルスチルカメラが通常撮影した場合に画像ファイルに対して行う命名規則に従う。例えば、着脱可能記録部内の二つのフォルダ（ディレクトリ）に既に撮影済みの画像データが図１３の様に記録されており、次回撮影時の記録場所がフォルダ００２であった場合には、受信した個々の画像データは図１４−１の様に記録される。
【００２５】
送信側において選択された画像データがすべて送信し終わると、図１５の様な転送終了を通知する画面が表示される。ここで図１５−１の“ＯＫ”を図６−７のボタンで選択し図６−２のボタンを押すことで確定すると、“Ａｓｙｎｃｈｒｏｎｏｕｓ  Ｃｏｎｎｅｃｔｉｏｎｓ”の切断を行うためにコネクションの切断を示すＦｒｅｅコマンドを受信側に対して送信し、図６−９の表示部が図８のメニュー画面になり転送モードは終了となる（図３−９，１０）。図１５−２の“Ｏｔｈｅｒ”を選択すると、再びサムネイル選択画面に切り替わるので、再度追加で転送したい画像データを選択し、送信を行うことができる。この時には“Ａｓｙｎｃｈｒｏｎｏｕｓ  Ｃｏｎｎｅｃｔｉｏｎｓ”は切断されていないので、再度コネクションを張る必要なく画像データの転送が行える。
【００２６】
受信側では、画像データの転送が終了したか否かはＦｒｅｅコマンドを受信するまでわからないので、個々の画像データを受信するごとにＭｏｒｅコマンドを送信し、次の画像データの受信待ち状態となる（図４−８のステップでのＮｏ分岐）。ここでＦｒｅｅを受け取ると、図４−８のステップにおいてＹｅｓ分岐となり、図１６の画面が表示され終了となる。
【００２７】
上記方法はデジタルスチルカメラ間だけでなくデジタルビデオカメラ間及びデジタルスチルカメラとデジタルビデオカメラ間でも実現可能であり、これにより請求項１記載のデジタルスチルカメラとデジタルビデオカメラが実現される。
【００２８】
画像データ伝送中に、受信側において、着脱可能記録部の容量が足りなくなり画像データを受信できなくなった場合には、送信側に対して、画像データの受信不能を示すＴｏｓｓコマンドが送信される。このコマンドを受信した送信側は、ただちに画像データの送信を中止する（図３−８のステップでのＹｅｓ分岐）。この時に表示部には図１７のように受信側の容量不足を示すメッセージが表示される。受信側でも同様のメッセージが表示されユーザに対して容量不足が通知される。送信側は受信側に対してＦｒｅｅコマンドを送信し“Ａｓｙｎｃｈｒｏｎｏｕｓ  Ｃｏｎｎｅｃｔｉｏｎｓ”を切断し送受信側ともに終了となる。
【００２９】
前述のような、容量不足による送信の中断を行うことはユーザに対して不親切であるので、受信側では画像データの受信中に受信側の着脱可能記録部の容量と、受信した画像データの容量を鑑みてユーザに対して図１８に示すように記録状況を視覚的に通知することで（図１８−２）、よりユーザに対して親切なユーザインターフェースを提供できる。ここで、図１８−２は着脱可能記録部の記憶容量に対して、現在どれほどの容量が使用されているかを示している。また送信側においても送信中の画像データの枚数を図１９−２の様に示すことが望ましい。
【００３０】
この方法により請求項２記載のデジタルスチルカメラ及びデジタルビデオカメラが実現される。
【００３１】
容量不足ではないが、受信側において受信を中止したい場合には、図１８の画像データ受信画面において図１８−１のキャンセルボタンを選択確定する。この場合には受信側フローの図４−７においてＹｅｓ分岐して、送信側に対してＦｒｅｅコマンドを送信して“Ａｓｙｎｃｈｒｏｎｏｕｓ  Ｃｏｎｎｅｃｔｉｏｎｓ”を切断し受信側の終了となる。送信側ではＦｒｅｅコマンドを受信すると送信中止要求を認識し図２０が表示され、送信側フローの図３−８のステップにおいてＹｅｓ分岐して受信側の“Ａｓｙｎｃｈｒｏｎｏｕｓ  Ｃｏｎｎｅｃｔｉｏｎｓ”の切断によって終了となる。
【００３２】
この方法により請求項３記載のデジタルスチルカメラ及びデジタルビデオカメラが実現される。
【００３３】
逆に送信側より画像データの中止を行いたい場合には、図１９−１のキャンセルを選択確定すると、送信側フローの図３−９のステップにおいて、Ｙｅｓ分岐しＦｒｅｅコマンドを受信側に対して送信して“Ａｓｙｎｃｈｒｏｎｏｕｓ  Ｃｏｎｎｅｃｔｉｏｎｓ”の切断し終了となる。この時に転送中の画像データがまだ転送途中である場合にはＪｕｎｋコマンドが送信されその後にＦｒｅｅコマンドが送信され、送信中の画像データは受信側において破棄される。個々の画像データの送信が終わっている場合には、Ｊｕｎｋコマンドは送信されずにＦｒｅｅコマンドのみが送信され“Ａｓｙｎｃｈｒｏｎｏｕｓ  Ｃｏｎｎｅｃｔｉｏｎｓ”の切断によって終了となる。
【００３４】
この方法により請求項４記載のデジタルスチルカメラ及びデジタルビデオカメラが実現される。
【００３５】
（実施例２）
実施例１は送信側から画像データを転送する方法であったが、受信側から画像データの転送要求を行うことも可能である。図２１は受信側から画像送信要求を送信する場合の送信側のフローであり、図２２は受信側のフローである。
【００３６】
送信側フローでは、図２１−１のステップにおいてデジタルスチルカメラの再生モードでサムネイル画像を表示画面に１枚だけ表示する。図２１−２のステップにおいて、画像を送信する許可が与えられていない場合にはＹｅｓ分岐し、画像送信の許可が与えられている場合にはＮｏ分岐して図２１−３のステップに遷移する。
【００３７】
受信側では、図６−１１のダイヤルによって再生モードにしておく。この再生モードにおいてＩＥＥＥ１３９４シリアルバスが接続されている状態で図６−１のレリーズボタンを半押し状態にすると、送信側に対して画像送信要求を送信する（図２２−２のＹｅｓ分岐）。
【００３８】
送信側は図２１−３のステップにおいて送信要求を受信すると、実施例１記載の様に“Ａｓｙｎｃｈｒｏｎｏｕｓ  Ｃｏｎｎｅｃｔｉｏｎｓ”を確立し、その後にサムネイル画像のみを画像データとして送信する。
【００３９】
受信側フローでは図２２−３のステップにおいてサムネイル画像を受信すると表示画面に受信サムネイル画像を表示する。表示されたサムネイル画像を受信側の着脱可能記録部に記録したい場合には図６−１のレリーズボタンを本押し状態にし（図２２−４のステップのＹｅｓ分岐）本画像の送信を送信側に対して要求する。ここで半押し状態が解除されると図２２−４のステップにおいてＮｏ分岐し“Ａｓｙｎｃｈｒｏｎｏｕｓ  Ｃｏｎｎｅｃｔｉｏｎｓ”を切断する。
【００４０】
送信側フローの図２１−５のステップにおいて受信側からの送信要求を受信すると、Ｙｅｓ分岐し本画像の送信を行う。
【００４１】
受信側フローでは図２２−５のステップにおいて本画像を受信後に“Ａｓｙｎｃｈｒｏｎｏｕｓ  Ｃｏｎｎｅｃｔｉｏｎｓ”を切断し、図２２−６のステップにおいて本画像を着脱可能記録部に記録する。
【００４２】
この方法により、請求項５，６記載のデジタルスチルカメラ及びデジタルビデオカメラが実現される。
【図面の簡単な説明】
【００４３】
【図１】デジタルスチルカメラ間のＩＥＥＥ１３９４シリアルバスによる接続例である。
【図２】本発明の電気的構成を示すブロック図である。
【図３】実施例１における送信側ノードの動作フローである。
【図４】実施例１における受信側ノードの動作フローである。
【図５】サムネイル表示画面である。
【図６】デジタルスチルカメラの外観図である。
【図７】サムネイル選択の様子を示した図である。
【図８】デジタルスチルカメラ及びデジタルビデオカメラの各種設定画面である。
【図９】画像データの各種情報のリストである。
【図１０】画像送信画面である。
【図１１】画像送信待機画面である。
【図１２】“Ａｓｙｎｃｈｒｏｎｏｕｓ  Ｃｏｎｎｅｃｔｉｏｎｓ”の接続フロー図である。
【図１３】記録媒体に記録されている画像データの状態を示した図である。
【図１４】記録媒体に新たに画像データを追加した状態を示した図である。
【図１５】送信終了を通知する画面である。
【図１６】受信終了を示す図である。
【図１７】送信中断を示す図である。
【図１８】受信中を示す図である。
【図１９】送信中を示す図である。
【図２０】送信中断を示す図である。
【図２１】受信側から画像データ送信要求を行う場合の送信側のフロー図である。
【図２２】受信側から画像データ送信要求を行う場合の受信側のフロー図である。
【図１】
2005175794.tif 000003
【図２】
2005175794.tif 000004
【図３】
2005175794.tif 000005
【図４】
2005175794.tif 000006
【図５】
2005175794.tif 000007
【図６】
2005175794.tif 000008
【図７】
2005175794.tif 000009
【図８】
2005175794.tif 000010
【図９】
2005175794.tif 000011
【図１０】
2005175794.tif 000012
【図１１】
2005175794.tif 000013
【図１２】
2005175794.tif 000014
【図１３】
2005175794.tif 000015
【図１４】
2005175794.tif 000016
【図１５】
2005175794.tif 000017
【図１６】
2005175794.tif 000018
【図１７】
2005175794.tif 000019
【図１８】
2005175794.tif 000020
【図１９】
2005175794.tif 000021
【図２０】
2005175794.tif 000022
【図２１】
2005175794.tif 000023
【図２２】
2005175794.tif 000024